(57)【要約】【課題】従来の歯ブラシのブラシ形状は直線的である為に、歯の裏側や奥歯不規則に並んだ歯には毛先が届き難いという不都合があった。【解決手段】植毛台に毛束を複数植毛した歯ブラシにおいて、毛束群が形成する毛切り面を、ブラシの長さ方向に対して先部分の形状は凹のアーチ形状、首部側の形状は凸のアーチ形状で、側面視ではＳ字形となるブラシ形状とする。【選択図】図１
2008302164.tif 000002
【特許請求の範囲】
【請求項１】
植毛台５・６に毛束３を複数植毛した歯ブラシにおいて、毛束群が形成する毛切り面は、歯ブラシの長さ方向に対して先部分ａの形状は凹のアーチ形状、首部側ｂの形状は凸のアーチ形状で、側面視ではＳ字形となるブラシ形状を特徴とする歯ブラシ。
【請求項２】
植毛台５・６に毛束３を複数植毛した歯ブラシにおいて、植毛台の植毛面は、歯ブラシの長さ方向に対して先部分の植毛台５の植毛面が毛束側に対して凹のアーチ形状、首部側部分の植毛台６の植毛面が毛束側に対して凸のアーチ形状で、側面視ではＳ字形の形状の植毛台を特徴とする歯ブラシ。
【請求項３】
植毛台５・６に毛束３を複数植毛した歯ブラシにおいて、側面視で、長さ方向に対して先部分の毛束群ａは逆扇状に毛先側に集まり、首部側部分の毛束群ｂはそれぞれほぼ平行又は扇状に毛先側に広がった形状を特徴とする歯ブラシ。
【請求項４】
上記歯ブラシにおいて、先部分の植毛台５の植毛密度よりも、首部側部分の植毛台６の植毛密度を多く植毛することを特徴とする請求項３に記載の歯ブラシ。
【請求項５】
上記歯ブラシにおいて、植毛台の横幅は、先部分の植毛台５の横幅よりも、首部側部分の植毛台６の横幅を広くした、丸みを帯びた二等辺三角形とすることを特徴とする請求項１から４のいずれか１項に記載の歯ブラシ。。
【請求項６】
上記歯ブラシにおいて、先部分の毛切り面の凹部の先端側の頂上部１と、首部側の毛切り面の凸部の頂上部２とを結ぶ仮想線Ｙが、首部７の軸線との平行線Ｘに対して毛先側に向かって傾斜していることを特徴とする請求項１から５のいずれか１項に記載の歯ブラシ。
【発明の詳細な説明】
【技術分野】
【０００１】  本発明は歯ブラシに関し、歯の裏側や奥歯不規則に並んだ歯はもちろん通常の歯も効率よく磨ける歯ブラシに関する。
【背景技術】
【０００２】  従来の歯ブラシのブラシ形状は図８に示すように、直線的である為に、歯の裏側や奥歯不規則に並んだ歯には毛先が届き難いという不都合があった。
一方、このような歯の歯垢を落とし易くするため、植毛台の先部分の毛丈を長くして、毛先を届かせやすくした歯ブラシ（実開昭５８−１４７３３号公報等）が提案されており、又首部を毛束側に傾けた歯ブラシ（実開昭５８−１４７３２号公報等）が提案されている。
【特許文献１】実開昭５８−１４７３３号公報等
【特許文献２】実開昭５８−１４７３２号公報等
【発明の開示】
【発明が解決しようとする課題】
【０００３】  上記のように、毛先を長くしたり、首部を傾けただけでは、ブラシ圧が弱くなったり、歯の裏側や奥歯不規則に並んだ歯の歯垢を充分に落とすことは出来難いという課題があった。
そこで、この発明は、歯の裏側や奥歯不規則に並んだ歯はもちろん通常の歯も歯垢を充分に落とすことができ、効率よく磨ける歯ブラシを提供することを目的とする。
【課題を解決するための手段】
【０００４】  本発明の請求項１に係る歯ブラシは、植毛台５・６に毛束３を複数植毛した歯ブラシにおいて、毛束群が形成する毛切り面は、歯ブラシの長さ方向に対して先部分ａの形状は凹のアーチ形状、首部側ｂの形状は凸のアーチ形状で、側面視ではＳ字形となるブラシ形状を特徴とする。
この形状によれば、奥歯の裏側や飛び出た歯や歯の表側を、Ｓ字形の凹部分で効率よく磨ける。又縦に使うことで前歯の裏側部分もＳ字形の凹部分で効率よく磨ける。歯の裏側や引込んだ歯はＳ字形の凸部分で効率よく磨けるという作用効果が生じる。又この構成によれば、Ｓ字形の植毛台に従来通りの同じ長さの毛束を植毛する事で容易に形成することが可能である。又従来通りのまっすぐの植毛台に同じ長さの毛束を植毛した後、毛の長さを側面視でＳ字形に毛切りする事でも容易に形成することが可能となる。
本発明の請求項２に係る歯ブラシは、植毛台５・６に毛束３を複数植毛した歯ブラシにおいて、植毛台の植毛面は、歯ブラシの長さ方向に対して先部分の植毛台５の植毛面が毛束側に対して凹のアーチ形状、首部側部分の植毛台６の植毛面が毛束側に対して凸のアーチ形状で、側面視ではＳ字形の形状の植毛台を特徴とする。この形状によれば、従来の一般的な歯ブラシのような平面的な毛切り面でも、先部分の植毛面の凹部の先端や首部側、首部側部分の植毛面の凸部の頂上付近に植毛された毛束は、長さが短くなる為ブラシ圧が強くなる。その為、請求項１と同じような作用効果が生じる。又、同じ長さの毛束を植毛することで、毛束群が形成する毛切り面の先部分ａの形状は植毛面に沿った凹、首部側ｂの形状は植毛面に沿った凸のＳ字形のブラシ形状を形成できる為、請求項１と同じ作用効果が生じる上、ブラシ圧を均等に保つ事が可能となる為、より効率よく磨ける。この構成によれば、Ｓ字形の植毛台に従来通りの同じ長さの毛束を植毛する事でも容易に形成することが可能である。またまっすぐの植毛台に従来通りの同じ長さの毛束を植毛した物をＳ字形に変形させる事でも容易に形成することが可能である。
本発明の請求項３に係る歯ブラシは、植毛台５・６に毛束３を複数植毛した歯ブラシにおいて、側面視で、長さ方向に対して先部分の毛束群ａは逆扇状に毛先側に集まり、首部側部分の毛束群ｂはそれぞれほぼ平行又は扇状に毛先側に広がった形状を特徴とする歯ブラシ。この形状によれば、奥歯の裏側や飛び出た歯や歯の表側を、Ｓ字形の凹部分で磨く場合に、ブラシ先端が歯に回り込み、より効率よく磨ける。又縦に使うことで前歯の裏側部分もＳ字形の凹部分でブラシ先端が回り込みより効率よく磨ける。歯の裏側や引込んだ歯はＳ字形の凸部分でブラシ先端が広がり、歯と歯の間までより効率よく磨ける、という作用効果が生じる。
本発明の請求項４に係る歯ブラシは、上記歯ブラシにおいて、先部分の植毛台５の植毛密度よりも、首部側部分の植毛台６の植毛密度を多く植毛することを特徴とする。請求項３の構成によれば、植毛台５・６に均等に毛束を植毛した場合先部分の毛束群ａの毛先の密度は多く、首部側部分の毛束群ｂの毛先の密度が少なくなる為、先部分の植毛台５の植毛密度よりも、首部側部分の植毛台６の植毛密度を多く植毛することで、毛先の密度の差を少なくする、という作用効果が生じる。
本発明の請求項５に係る歯ブラシは、上記歯ブラシにおいて、植毛台の横幅は、先部分の植毛台５の横幅よりも、首部側部分の植毛台６の横幅を広くした、丸みを帯びた二等辺三角形とすることを特徴とする。  この形状によれば、先部分を小さくする事が出来るので、狭い口腔内でも隅々まで磨きやすくなる、という作用効果が生じる。
本発明の請求項６に係る歯ブラシは、先部分の毛切り面の凹部の先端側の頂上部１と、首部側の毛切り面の凸部の頂上部２とを結ぶ仮想線Ｙが、首部７の軸線との平行線Ｘに対して毛先側に向かって傾斜していることを特徴とする。この形状によれば、奥歯の裏側や前歯の裏側を磨く場合等にブラシの先部分の毛先が届きやすくなり、楽な角度でブラシを動かすことが出来る、という作用効果が生じる。
【発明の効果】
【０００５】  本考案の歯ブラシは、毛束群が形成する毛切り面が、ブラシの長さ方向に対して植毛台の先部分ａの形状は凹型のアーチ形状なので、この部分で第三大臼歯の奥の裏側（図４）や外側に出た犬歯の表（図３）、側切歯や中切歯等の前歯の表（図２）にも毛先が歯に回り込むように容易に届く。植毛台の首部側ｂの形状は凸形のアーチ形状なので第一小臼歯と第二小臼歯の裏側（図５）や内側に入った第１大臼歯の表側の歯（図６）にも毛先が入り込みやすく容易に届く。しかも、毛丈は、すべて略同じ長さの為、充分な腰を有しており、固くこびりついた歯垢を充分に落とすことができる
発明によれば、歯の裏側や奥歯不規則に並んだ歯はもちろん通常の歯も効率よく磨ける。
【発明を実施するための最良の形態】
【０００６】図１は、本発明の実施例によるＳ字歯ブラシの植毛台部分を示す部分拡大側面図である。
図１において、Ｓ字歯ブラシは首部７と植毛台５、６と毛束３とを備えている。
植毛台５，６は、首部７の先端に連結されていて、先部分の植毛台５の植毛面が毛先側に対して凹のアーチ形状、首部側部分の植毛台６の植毛面が毛先側に対して凸のアーチ形状で、側面視ではＳ字形に形成されている。
植毛台５、６の植毛面には、多数のブラシ毛の集合の毛束３が複数植毛されており、各毛束の長さは略一定の為、毛束群が形成する毛切り面は、植毛台５、６の植毛面の形状にそった凹凸状のカーブをなし側面視ではＳ字形に形成される。
側面視で、長さ方向に対して先部分の毛束群ａは毛先側に集まり、首部側部分の毛束群ｂはそれぞれほぼ平行又は、毛先側に扇状に広がった形状とする。
毛束の植毛密度は、先部分の毛束群ａの植毛密度よりも、首部側部分の毛束群ｂの植毛密度を多く植毛する。
先部分の毛切り面の凹部の先端側の頂上部１と、首部側の毛切り面の凸部の頂上部２とを結ぶ仮想線をＹ、首部７の軸線との平行線をＸとする場合、ＸとＹのなす角をθとすると、θは１°〜２５°の範囲で毛先側に向かって傾斜している。
【図面の簡単な説明】
【０００７】
【図１】この発明の歯ブラシの植毛台部分を示す部分拡大側面図である。
【図２】正常な歯並びの中切歯と側切歯の表を磨く場合の、歯ブラシの使用状態を示す図である。
【図３】外側に出た犬歯の表を磨く場合の、歯ブラシの使用状態を示す図である。
【図４】第三第臼歯の奥側を磨く場合の、歯ブラシの使用状態を示す図である。
【図５】正常な歯並びの第一小臼歯と第二小臼歯の裏を磨く場合の、歯ブラシの使用状態を示す図である。
【図６】内側に入った第一大臼歯の表を磨く場合の、歯ブラシの使用状態を示す図である。
【図７】この発明の歯ブラシの全体図を示し、（Ａ）は平面図、（Ｂ）はその側面図である。
【図８】一般的な歯ブラシを示す図である。
【符号の説明】
【０００８】  １  先部分の毛切り面の凹部の先端側の頂上部
２  首部側の毛切り面の凸部の頂上部
３  毛束
５  先部分の植毛台
６  首部側部分の植毛台
７  歯ブラシの首部
ａ  先部分の毛束群
ｂ  首部側部分の毛束群
θ  ブラシの傾斜角度
Ｘ  首部７の軸線との平行線
Ｙ  先部分の毛切り面の凹部の先端側の頂上部１と首部側の毛切り面の凸部の頂上部２とを結ぶ仮想線
【図１】
2008302164.tif 000003
【図２】
2008302164.tif 000004
【図３】
2008302164.tif 000005
【図４】
2008302164.tif 000006
【図５】
2008302164.tif 000007
【図６】
2008302164.tif 000008
【図７】
2008302164.tif 000009
【図８】
2008302164.tif 000010